(57)【要約】      （修正有）【課題】火災が発生してもロック機能が損なわれることなく、しかもロック部材が突出して上枠及び下枠に係合してもキズ付くことのない、折畳み式扉ロック装置を提供する。【解決手段】折れ戸などの折畳み式扉の継手に取付け、上ロック部材４が上方へ突出して上枠に係合し、下ロック部材は下方へ突出して下枠に係合することで伸長した折畳み式扉が閉じないようにするロック装置において、上ロック部材４及び下ロック部材は、樹脂製の本体９に金属製又はセラミック製などで高熱に晒されても変形しないカバー材１０を組み込んで構成している。【選択図】図２
2018184787.tif 000002
【特許請求の範囲】
【請求項１】
折れ戸などの折畳み式扉の継手に取付け、ハンドルなどの操作部を操作することで上ロック部材が上方へ突出して上枠に係合し、下ロック部材は下方へ突出して下枠に係合することで伸長した折畳み式扉が折畳まれて開口しないようにするロック装置において、
上記上ロック部材及び下ロック部材は、樹脂製の本体に金属製又はセラミック製などで高熱に晒されても変形しないカバー材を組み込んで構成したことを特徴とする折畳み式扉のロック装置。
【請求項２】
上記上ロック部材及び下ロック部材に組み込んだカバー材は、上枠及び下枠に係合する際に、上記カバー材が該上枠及び下枠に接触しない状態で組み込んだ請求項１記載の折畳み式扉のロック装置。
【発明の詳細な説明】
【技術分野】
【０００１】
本発明は折畳み式扉によって間口を閉じた場合に、伸長した折畳み式扉がガタ付かないようにするロック装置に関するもので、特に火災が発生した際でもロック機能が損なわれないように機能するロック装置である。
【背景技術】
【０００２】
折畳み式扉は複数枚のパネルが継手を介して連結した構造で、該継手を介して各パネルは屈曲して折畳むことが出来るように構成している。図７は従来の一般的な折畳み式扉を示していて、（ａ）は折畳まれた状態、（ｂ）は伸長している状態を表している。２枚のパネル（イ）、（イ）は継手（ロ）を介して連結され、両パネル（イ）、（イ）は継手（ロ）を介して折畳むことが出来、また、折畳まれたパネル（イ）、（イ）は継手（ロ）介して伸長することが出来る。
【０００３】
同図に示す折畳み式扉は、２枚１組で構成している折れ戸（ハ）が間口に２組装着されている。そこで、２組の折れ戸（ハ）、（ハ）が折畳まれるならば、同図（ａ）に示すように折れ戸（ハ）、（ハ）は間口の両側によって折畳まれて中央部に開口（ニ）が形成され、逆に折畳まれた折れ戸（ハ）、（ハ）が伸長すれば、先端が中央側へ移動して両折れ戸（ハ）、（ハ）の先端が互いに突き合わされる。すなわち、同図の（ｂ）に示すようになって間口は閉じられる。
【０００４】
ところで、同図（ｂ）のように折れ戸（ハ）、（ハ）が伸長して間口が閉じられた場合、該折れ戸（ハ）、（ハ）がガタ付かないようにロックされる。一般には継手（ロ）に備えているハンドル（ホ）を操作してロック部材を上方及び下方に突出することで、これら各ロック部材は上枠及び下枠に係合することが出来るように構成されている。
したがって、パネル（イ）、（イ）を連結している継手（ロ）が上枠と下枠に固定されることで、該折れ戸（ハ）のガタ付きは生じない。
【０００５】
図８は折れ戸（ハ）の継手（ロ）を表しているが、該折れ戸（ハ）が伸長して継手（ロ）は上枠（ヘ）及び下枠（ト）と同一面に位置している場合である。
同図の（ａ）はロックされていないが、ハンドル（ホ）を回転すると、継手（ロ）に取付けた上ロック部材（チ）は上方へ突出して上枠（ヘ）に係合することが出来る。そして、下ロック部材（リ）は下方へ突出して下枠（ト）に係合する。
【０００６】
したがって、上ロック部材（チ）が上枠（ヘ）に、下ロック部材（リ）が下枠（ト）に係合することで継手（ロ）は固定され、該折れ戸（ハ）がガタ付くことはなく、勿論、折畳まれることもない。
ところで、上記上ロック部材（チ）及び下ロック部材（リ）は樹脂製であり、その為に突出する上ロック部材（チ）及び下ロック部材（リ）にて上枠（ヘ）や下枠（ト）がキズ付くことはない。
【０００７】
しかし、火災が発生した場合、折畳み式扉の折れ戸（ハ）は加熱されて、上記上ロック部材（チ）及び下ロック部材（リ）は溶けてしまう。その為にロック機能は失われて折れ戸（ハ）は開き、延焼が助長される虞がある。
そこで、上ロック部材（チ）及び下ロック部材（リ）が火災時に溶けないように金属製又はセラミック製とすることで対応可能であるが、金属製やセラミック製のロック部材を用いるならば、アルミ製の上枠（ヘ）及び下枠（ト）はキズ付いてしまう。
【０００８】
ロック装置に関する文献も色々知られているが、例えば、特開平６−１６７１６２号に係る「折れ戸における戸体相互の連結ロック装置」は、回動自在に戸体を連結し併せて伸張折畳み各状態に戸体相互をロックできるようにしている。
また、実開平５−３０３８５号に係る「折れ戸の開き固定装置」は、簡単な構造で、しかも操作が簡単な上にガタつくことなく確実に固定できる折れ戸の開き固定装置である。
【０００９】
これら折れ戸のロック装置は、折れ戸をロックするように機能はするが、本発明の目的とは異なる。
【特許文献１】特開平６−１６７１６２号に係る「折れ戸における戸体相互の連結ロック装置」
【特許文献２】実開平５−３０３８５号に係る「折れ戸の開き固定装置」
【発明の開示】
【発明が解決しようとする課題】
【００１０】
このように、従来の折畳み式扉のロック装置には上記のごとき問題がある。
本発明が解決しようとする課題はこの問題点であり、火災が発生してもロック機能が損なわれることなく、しかもロック部材が突出して上枠及び下枠に係合してもキズ付くことのないロック装置を提供する。
【課題を解決するための手段】
【００１１】
本発明のロック装置が取付けられる対象は複数枚のパネルが継手を介して連結した折畳み式扉であり、特に２枚のパネルを１組として構成している折れ戸を対象として用いられる。
折畳み式扉の基本的な構成は従来のものと同じであるが、ロック装置は折畳み式扉の継手に取付けられ、ハンドル操作にてロック部材は上方及び下方へ突出することが出来、上枠と下枠に係合する。
【００１２】
ところで、ロック部材は上枠に係合する上ロック部材と下枠に係合する下ロック部材から成り、上ロック部材は樹脂製の本体とカバー材で構成している。カバー材は金属やセラミックなどで燃焼することのない材質又は燃焼しにくい材質で構成している。同じく下ロック部材も樹脂製の本体とカバー材で構成し、カバー材は金属やセラミックなどで燃焼することのない材質又は燃焼しにくい材質から成っている。
【００１３】
ここで、カバー材は本体の一部を被覆し、上枠及び下枠に係合する部位はカバー材が上枠及び下枠に接しないように組み合わされている。
折畳み式扉が装着される枠体の上枠及び下枠の断面形状は定まったものではないために、これら上枠や下枠に係合する上ロック部材及び下ロック部材は該上枠及び下枠に係合することが出来る形状としている。
【発明の効果】
【００１４】
本発明のロック装置は折畳み式扉の継手に取付けられ、ハンドルを操作することで上ロック部材が上方へ突出して上枠に係合し、下ロック部材が下方へ突出して下枠に係合する。したがって、伸長した折畳み式扉はロックされてガタ付くことはない。勿論、ロック装置が解除されない限り折畳まれることもない。
【００１５】
そして、上記ロック部材は樹脂製の本体とカバー材が組み合わさった構造であって、カバー材は金属などで燃焼しない材質から成っている為に、火災が発生してもロック部材が溶けてロック機能が損なわれることはない。
一方、カバー材は樹脂製本体の全面を被覆することなく、上枠及び下枠には接することがないように一部を被覆しているために、突出するロック部材によって上枠及び下枠がキズ付くことはない。
【図面の簡単な説明】
【００１６】
【図１】（ａ）はロックされていない状態の継手、（ｂ）はロック部材が突出して上枠及び下枠に係合してロックされている場合。
【図２】上ロック部材の正面図と側面図。
【図３】（ａ）は上ロック部材を構成する樹脂製の本体、（ｂ）は上ロック部材を構成する金属製のカバー材。
【図４】下ロック部材の正面図と側面図。
【図５】（ａ）は下ロック部材を構成する樹脂製の本体、（ｂ）は下ロック部材を構成する金属製のカバー材。
【図６】ハンドル操作で上ロック部材及び下ロック部材を突出するラック−ピニオン機構。
【図７】折畳み式扉である折の戸の横断面図で、（ａ）は折れ戸が折畳まれた場合、（ａ）は折れ戸が伸長している場合。
【図８】ロック機能を備えた従来折れ戸のロック装置。
【発明を実施するための形態】
【００１７】
図１は本発明に係るロック装置を示す実施例で、折れ戸の継手上端と下端にロック部材を取付けている場合を示している。同図の１は継手、２は上枠、３は下枠、４は上ロック部材、５は下ロック部材、６はハンドルをそれぞれ表している。基本的な構造は前記図８に示す折れ戸の継手と同じであり、（ａ）はロックされていない場合、（ｂ）はロック状態を示している。
【００１８】
折れ戸を伸長するならば、継手１は上枠２及び下枠３と同一面内に位置し、ハンドル６を回転するならば上ロック部材４は上方へ突出し、下ロック部材５は下方へ突出する。突出した上ロック部材４は上枠２に係合し、突出した下ロック部材５は下枠３に係合することが出来る。上枠２には上ガイド溝７が設けられ、下枠３には下ガイド溝８が形成されている。
【００１９】
２枚１組の折れ戸であれば、先端側パネルの戸先框の上端及び下端にはスライダー（図示なし）が設けられ、このスライダーは上ガイド溝７と下ガイド溝８に嵌って、折れ戸の開閉動作に伴ってスライドすることが出来る。
ところで、突出した上ロック部材４は上ガイド溝７に嵌り、下ロック部材５は下ガイド溝８に嵌ることが出来、伸長した折れ戸はロックされる。
【００２０】
図２は上ロック部材４を表している具体例であり、（ａ）は正面図、（ｂ）は側面図を示している。上ロック部材４は樹脂製の本体９と金属製のカバー材１０で構成され、該カバー材１０は樹脂製本体９の一部表面を被覆している。ここで、上ロック部材４が上方へ突出して上枠２に係合する場合、カバー材１０は上枠２に接触しない構造としている。
【００２１】
図３は上記上ロック部材４を構成する（ａ）樹脂製本体９と（ｂ）金属製カバー材１０を示しているが、本体９はその上端に上ガイド溝嵌入部１１と補助嵌入部１２を有し、両嵌入部１１，１２の間には凹溝１３を形成している。そして、本体９の表裏面は同一面ではなく、斜線で示す上ガイド溝嵌入部１１の一部から補助嵌入部１２の一部にかけての領域は窪んだ凹部を形成しいて、その厚みは薄くなっている。
【００２２】
カバー材１０は金属板を曲げ成形したものであり、その形状は底板１４と両側板１５，１５を有す概略Ｕ形とし、また、底板１４から突片１６が水平に延びている。側板１５は本体９の表面の一部（斜線部分）を被覆する形状と成っていて、両側板１５，１５にて本体９を挟み、突片１６は本体９の底面１７に係止することが出来る。該カバー材１０を本体９に組み付けした状態が前記図２に示す上ロック部材４と成り、カバー材１０は本体９に正しく位置決めされて組み込まれている。
【００２３】
ところで、上ロック部材４が上方へ突出して上枠２に係合する場合、カバー材１０は上枠２に接触しないように組み付けられており、斜線部の凹部に側板１５が嵌り、突片１６が底面１７に当たって位置決めされている。その為に上ガイド溝７に嵌入する上ロック部材４は、カバー材１０の側板１５，１５が上ガイド溝７の内面に接触することはない。
また、図２に示すように上ガイド溝嵌入部１１、補助嵌入部１２、及び凹溝１３の縁１８は本体９が表面化していることで、カバー材１０の上端縁が接触することもない。
【００２４】
図４は下ロック部材５を示す具体例であり、（ａ）は正面図、（ｂ）は側面図をそれぞれ表している。この下ロック部材５も樹脂製の本体１９と金属製のカバー材２０を組み合わせて構成し、該カバー材２０は樹脂製本体１９の一部表面を被覆している。そこで、下ロック部材５が下方へ突出して下枠３に係合する場合、カバー材２０は下枠３に接触しない構造としている。
【００２５】
図５は上記下ロック部材５を構成する（ａ）樹脂製本体１９と（ｂ）金属製カバー材２０を示しているが、本体１９はその下端に下ガイド溝嵌入部２１を有している。そして、本体１９の表裏面は同一面ではなく、上ロック部材４の本体９と同じように斜線で示す領域は窪んだ凹部を形成しいて、その厚みは薄くなっている。
【００２６】
カバー材２０は金属板を曲げ成形したものであり、その形状は上板２２と両側板２３，２３を有す概略逆Ｕ形としている。側板２３は本体１９の表面の一部（斜線部分）を被覆する形状と成っていて、両側板２３，２３にて本体１９を挟み込むことが出来る。該カバー材２０を本体１９に組み付けした状態が前記図４に示す下ロック部材５であり、カバー材２０は本体１９に正しく位置決めされて組み込まれている。
【００２７】
ところで、下ロック部材５が下方へ突出して下枠３に係合する場合、カバー材２０は下枠３に接触しないように組み付けられており、斜線部の凹部に側板２３，２３が嵌って位置決めされている。その為に下ガイド溝８に嵌入する下ロック部材５は、カバー材２０の側板２３，２３が接触することはない。
【００２８】
このように、上ロック部材４及び下ロック部材５は樹脂製の本体９，１９に金属製のカバー材１０，２０を組付けて構成している。したがって、折れ戸が伸長して閉じられ、上記上ロック部材４及び下ロック部材５が突出して上枠２の上ガイド溝７及び下枠３の下ガイド溝８に嵌入することで該折れ戸は開かないようにロックされる。この状態で火災が発生した場合、上ロック部材４及び下ロック部材５の樹脂製本体９，１０は高熱で溶けてしまうが、金属製のカバー材１０，２０は溶けることはない。その為に、ロック機能が損なわれて隣に延焼することを極力抑えることが出来る。
【００２９】
ところで、上ロック部材４及び下ロック部材５は上記ハンドル６を回転することで上・下方向へ突出するが、該ハンドル６の回転をスライド方向へ変換する機構が用いられている。具体的な機構に関しては限定しないが、図６はその１具体例を示している。
上記ハンドル軸２４にはピニオン２５が取着され、該ピニオン２５を間に挟んでラック２６ａ，２６ｂが取付けられ、一方のラック２６ｂには上ロッド２７が連結し、他方のラック２６ａには下ロッド２８が連結している。そこで、上ロッド２７の先端には上ロック部材４が取着され、下ロッド２８の先端には下ロック部材５が取着されている。
【００３０】
したがって、ハンドル６にて軸２４と共にピニオン２５が回転するならば、ラック２６ａ，２６ｂはスライドして上ロック部材４は上方へ突出し、下ロック部材５は下方へ突出することが出来る。
ただし、同図に示すラック−ピニオン機構ではなく、ハンドルの回転をリンクを介して上ロッド２７及び下ロッド２８がスライドするように構成することも可能である。
【符号の説明】
【００３１】
１   継手
２   上枠
３   下枠
４   上ロック部材
５   下ロック部材
６   ハンドル
７   上ガイド溝
８   下ガイド溝
９   本体
10   カバー材
11   上ガイド溝嵌入部
12   補助嵌入部
13   凹溝
14   底板
15   側板
16   突片
17   底面
18   縁
19   本体
20   カバー材
21   下ガイド溝嵌入部
22   上板
23   側板
24   軸
25   ピニオン
26   ラック
27   上ロッド
28   下ロッド
【図１】
2018184787.tif 000003
【図２】
2018184787.tif 000004
【図３】
2018184787.tif 000005
【図４】
2018184787.tif 000006
【図５】
2018184787.tif 000007
【図６】
2018184787.tif 000008
【図７】
2018184787.tif 000009
【図８】
2018184787.tif 000010